(57)【要約】【課題】オストメイト（人口肛門，人口膀胱保有者）が装着しているパウチ（排泄物受け袋）を洗浄するのに適し、給水圧の低い現場や給水管径が小さい一般住宅にも設置可能なオストメイト用流し装置を提供する。【解決手段】洗浄水を貯留するロータンク１１を配管収納ケース２内に収納させ、配管収納ケース２の前面に流し５を取り付け、この流し５の上方にハンドシャワー７付き混合水栓６を設け、さらにその上方の配管収納ケース２の前面に鏡１０を設けて構成する。【選択図】図３
2010057685.tif 000002
【特許請求の範囲】
【請求項１】
流しと、該流しに供給する洗浄水を貯留するロータンクと、該ロータンクの前方側に配置した鏡とを備えた
オストメイト用流し装置。
【請求項２】
前記ロータンクを配管収納ケース内に収納させ、該配管収納ケースの前面に前記流しを取り付けるとともに、該流しの上方の配管収納ケースの前面に前記鏡を取り付けた
請求項１に記載のオストメイト用流し装置。
【発明の詳細な説明】
【技術分野】
【０００１】
本発明は、パウチ（排泄物受け袋）を装着しているオストメイト（人口肛門，人口膀胱保有者）がパウチ内の汚物を処理できるオストメイト用流し装置に関するものである。
【背景技術】
【０００２】
従来、この種のオストメイト用流し装置として、特許文献１に開示されているような流しユニットが存在する。
このオストメイト用流し装置は、キャビネットの前面に流しを設け、キャビネットの内部に、フラッシュバルブと電気温水器を設けて構成したものである。
また、従来、特許文献２に開示されているように、洋式便器の側方に温水器と洗浄ノズルを設け、温水器で生成した温水を洗浄ノズルから噴出させて、オストメイトが装着しているパウチ等を洗浄できるように構成したものが存在する。
【特許文献１】特開２００４−２８３３９４号公報
【特許文献２】特開２００６−１６８４０号公報
【発明の開示】
【発明が解決しようとする課題】
【０００３】
上記特許文献１に開示されているようなオストメイト用流し装置では、キャビネット内部にフラッシュバルブが設けられたものであり、このようなフラッシュバルブ式のものは、給水圧や給水管径に条件があるため、給水圧の低い現場や給水管径が小さい一般住宅では設置できなかった。
また、この特許文献１のものでは、鏡がないために、オストメイトが腹部に装着するパウチの装着部位等の確認などがし辛いものであった。
また、特許文献２に開示されているような洋式便器の側方に洗浄ノズルを設けたものでは、パウチ等を洗浄したり、パウチ内の汚物を洋式便器内に捨てる等の行為を行う際に、使用位置が低すぎるために低い体勢を維持せねばならず、かがみ込んでの作業となるため体勢維持が辛く、使用勝手が悪いという問題点があった。
また、このような特許文献２の構成でも、鏡が存在しないため、パウチの装着位置等の確認などがし辛いものであった。
【課題を解決するための手段】
【０００４】
本発明は、オストメイト（人口肛門，人口膀胱保有者）が装着しているパウチ（排泄物受け袋）を洗浄するのに適し、給水圧の低い現場や給水管径が小さい一般住宅にも設置可能なオストメイト用流し装置の提供を目的とし、この目的の少なくとも一部を達成するために以下の手段を採った。
本発明のオストメイト用流し装置は、流しと、該流しに供給する洗浄水を貯留するロータンクと、該ロータンクの前方側に配置した鏡とを備えたことを要旨とする。
【発明の効果】
【０００５】
本発明のオストメイト用流し装置では、ロータンク内に洗浄水を貯留して、ロータンクから洗浄水を流しに供給することができ、給水圧の低い現場や給水管径が小さい一般住宅にも設置が可能である。また、鏡が備えられているため、オストメイトがパウチの装着位置等を容易に確認することができる。
【０００６】
また、本発明のオストメイト用流し装置において、前記ロータンクを配管収納ケース内に収納させ、該配管収納ケースの前面に前記流しを取り付けるとともに、該流しの上方の配管収納ケースの前面に前記鏡を取り付けた構成とすることもできる。
こうすれば、ロータンクを配管収納ケース内に収納させて隠蔽させ、配管収納ケースの前面に流しを設け、その上方の配管収納ケースの前面に鏡を設けてコンパクトな構成のオストメイト用流し装置とすることができ、すっきりとした外観を呈し、清掃性も良いものとなる。
【発明を実施するための最良の形態】
【０００７】
次に、本発明を実施するための最良の形態を実施例を用いて説明する。
【実施例１】
【０００８】
図１〜図４は第１実施例であり、図１はオストメイト用流し装置の正面外観構成図、図２は配管収納ケースの内部構造の正面図、図３はオストメイト用流し装置の側面断面構成図であり、また、図４はオストメイト用流し装置の構成部材の分解側面図である。
【０００９】
このオストメイト用流し装置１は、角パイプフレーム２ａで枠組み形成した配管収納ケース２の前面に、陶器製の流し５が取り付けられ、流し５の上方に混合水栓６と、更にその上方に鏡１０が取り付けられている。
配管収納ケース２内には、給水管１２と排水管１５が配管され、給水管１２は、既存の水道管に接続できる小口径の管で構成されており、また、排水管１５の上端には、流し５の背側下部に接続できる排水口１５ａが形成されている。
【００１０】
また、配管収納ケース２内の上部部位にはロータンク１１が支持・固定された状態で収納されており、ロータンク１１に洗浄水を溜めることができるように構成されている。
このロータンク１１の底に、垂下状に延びる洗浄水供給管１６の一端が接続され、洗浄水供給管１６の他端には洗浄水供給口１６ａが形成されており、この洗浄水供給口１６ａが流し５の背側上部に接続されて、流し５内にロータンク１１内の洗浄水を供給することができる。
【００１１】
なお、ロータンク１１には、給水管１２から分岐された分岐管１２ａが止水弁１４を介在させて接続されており、給水管１２から分岐管１２ａを通してロータンク１１内に水道水を流入させることができる。また、給水管１２には更に分岐管１２ｂが設けられており、分岐管１２ｂは水側口６ａに連通しており、水側口６ａから混合水栓６内に水が流入されるものである。
また、配管収納ケース２内の下部部位には電気温水器１７が収納されており、給水管１２から給水管１９を通して電気温水器１７内に水道水を流入させることができる。
この電気温水器１７から上方へ延びる給湯管１３の上端は湯側口６ｂに連通しており、湯側口６ｂから混合水栓６内に湯が流入されるものである。
また、ロータンク１１には、ロータンク１１内の図示しない排水用のボール弁を開放させて洗浄水を流し５内に流出させる操作が行えるレバー１１ａが設けられ、このレバー１１ａは、配管収納ケース２の前面上部に設置される洗浄操作用リモコン１８を介して操作することができる。
【００１２】
このように給水管１２，排水管１５，ロータンク１１，電気温水器１７，給湯管１３を内装した配管収納ケース２の前面には前パネル３が覆蓋状に取り付けられ、前パネル３の前面の上部に鏡１０が中央部に取り付けられる。また、配管収納ケース２の上面には天板４が覆設される。
この前パネル３の前面に流し５が取り付けられ、流し５は、その背面に設けられた洗浄水流入口，排水口がそれぞれ洗浄水供給口１６ａおよび排水口１５ａに接続される。
また、流し５の上方の鏡１０の下側に混合水栓６が取り付けられ、混合水栓６の水側流入口，湯側流入口がそれぞれ水側口６ａおよび湯側口６ｂに接続される。この混合水栓６にはホースを介してハンドシャワー７が接続され、吐水口６ｃからの吐水とハンドシャワー７からのシャワー吐水の切り替えができる。
また、図１の混合水栓６の右側には、水石鹸を入れる水石鹸入れ８が取り付けられ、さらにその右側にはペーパーホルダー９が取り付けられる。
【００１３】
なお、流し５の配置高さは、図３に示すように、オストメイトＭが流し５の前に立って中腰になった時に、流し５の上方にオストメイトＭの腹部が位置する程度の高さ（具体的には、流し５の鉢開口部の前縁が７００ｍｍ前後の高さ）に設定されている。
オストメイトが流し５の前に立ち、腹部に装着しているパウチを取り外し、パウチ内部の汚物を流し５内に容易に捨てることができ、その後に、混合水栓６を操作してハンドシャワー７から適温の湯を噴出させて、パウチを簡単に濯いで捨てることができ、その時にパウチを装着していた腹部等の汚れをも良好に鏡１０で確認しながら拭き取る等することもできる。その後に、新しいパウチを腹部に装着して、洗浄操作用リモコン１８を操作することで、ロータンク１１内に溜められている洗浄水が洗浄水供給管１６を通り流し５内に流出して流し５が洗浄される。その後に、オストメイトＭは混合水栓６の吐水口６ｃからの湯水で手を洗うことができる。
【００１４】
本例のオストメイト用流し装置１は、給水圧の低い現場や給水管径が小さい一般住宅においても、既存の水道管に給水管１２を接続して容易に設置することができ、ロータンク１１内に溜めた洗浄水で良好に流し５を洗浄でき、ロータンク１１等は配管収納ケース２内に隠蔽されているため、すっきりとした外観を呈するものとなる。
また、鏡１０が備えられているため、オストメイトがパウチの装着位置等を容易に確認することができ、また、ハンドシャワー７付きの混合水栓６が備えられているため、パウチの洗浄やパウチ装着部位等の洗浄ができ、使い易いものとなる。
【００１５】
なお、図５〜図６には第１実施例の変更例を示す。
図５は、オストメイト用流し装置の配管収納ケースの内部構造の正面図、図６は、オストメイト用流し装置の側面断面構成図である。
この変更例では、配管収納ケース２内の下部部位には電気温水器１７が収納されておらず、また、給水管１９も存在しない。
配管収納ケース２内には、給水管１２と給湯管１３が配管されており、また、排水管１５が配管されている。この給水管１２は、既存の水道管に接続できる小口径の給水管で構成されており、また、給湯管１３は、図示しない給湯器に接続されるものである。
なお、配管収納ケース２内の上部部位には、洗浄水を溜めることができるロータンク１１が収納され、ロータンク１１内の洗浄水を流し５内に供給することができる。その他の構成は第１実施例のものと同様であり、同一部材については同一符号を付してその説明は省略する。
【００１６】
本例のオストメイト用流し装置１においても、給水圧の低い現場や給水管径が小さい一般住宅に容易に設置することができ、ロータンク１１等は配管収納ケース２内に隠蔽されているため、すっきりとした外観を呈するものとなる。
また、鏡１０が備えられているため、オストメイトがパウチの装着位置等を容易に確認することができ、また、ハンドシャワー７付きの混合水栓６が備えられているため、パウチの洗浄やパウチ装着部位等の洗浄ができ、使い易いものとなる。
なお、配管収納ケース２は角パイプフレーム２ａで枠組み形成したものを例示しているが、配管収納ケース２は、木軸組み，パネル組みでも良く、また、流し５の後方にキャビネットを形成しても良い。
【実施例２】
【００１７】
次に、図７の正面図で、また図８の側面図で示すものは、第２実施例のオストメイト用流し装置である。
この第２実施例のオストメイト用流し装置は、陶器製の流し５が高さの高い縦長状に形成されており、流し５は壁面Ｗに固定状に取り付けられる。
この流し５の上方の壁面Ｗには、ハンドシャワー７付きの混合水栓６と、水石鹸入れ８と、ペーパーホルダー９が図５の左側から右側に向かって順に取り付けられる。また、これらの上方の壁面Ｗにロータンク１１が取り付けられ、ロータンク１１の前面上部には操作用のレバー１１ａが設けられ、ロータンク１１の前面には鏡１０が取り付けられる。この鏡１０は、オストメイトＭのパウチの装着位置である腹の部分が見えるように下向きに傾斜させたものである。
【００１８】
なお、ロータンク１１の底に、垂下状に延びる洗浄水供給管１６の一端が接続され、洗浄水供給管１６の他端は、流し５の上面に設けられた洗浄水供給口に接続され、ロータンク１１内の洗浄水が流し５に供給されて、流し５が洗浄されるように構成されている。
なお、ロータンク１１の側方には、止水弁１４を介在させて水道管からの分岐管が接続される。また、混合水栓６の水側口６ａには、壁面Ｗの裏側から水道管が接続され、また、混合水栓６の湯側口６ｂには、図示しない温水器からの配管が接続される。
【００１９】
このような構成のオストメイト用流し装置であっても、給水圧の低い現場や給水管径が小さい一般住宅に良好に設置が可能であり、水道管に接続してロータンク１１を設置し、ロータンク１１内に洗浄水を溜め、レバー１１ａを操作することで、ロータンク１１内の洗浄水を洗浄水供給管１６から流し５へ供給して、流し５を良好に洗浄することができる。
また、オストメイトはパウチを装着した腹部等を鏡１０で確認しながら腹部等の汚れ等を良好に洗い流すことができ、使い勝手が良好なものとなる。
【図面の簡単な説明】
【００２０】
【図１】第１実施例のオストメイト用流し装置の正面外観構成図である。
【図２】オストメイト用流し装置の配管収納ケース内の内部構造を示す正面図である。
【図３】オストメイト用流し装置の側面断面構成図である。
【図４】オストメイト用流し装置の構成部材の分解側面構成図である。
【図５】オストメイト用流し装置の変更例を示す配管収納ケースの内部構造の正面図である。
【図６】図５のオストメイト用流し装置の側面断面構成図である。
【図７】第２実施例のオストメイト用流し装置の設置状態の正面図である。
【図８】図７の側面図である。
【符号の説明】
【００２１】
１  オストメイト用流し装置
２  配管収納ケース
２ａ  フレーム
３  前パネル
４  天板
５  流し
６  混合水栓
７  ハンドシャワー
８  水石鹸入れ
９  ペーパーホルダー
１０  鏡
１１  ロータンク
１１ａ  レバー
１２  給水管
１２ａ，１２ｂ  分岐管
１３  給湯管
１４  止水弁
１５  排給水管
１６  洗浄水供給管
１７  電気温水器
１８  洗浄操作用リモコン
Ｗ  壁面
【図１】
2010057685.tif 000003
【図２】
2010057685.tif 000004
【図３】
2010057685.tif 000005
【図４】
2010057685.tif 000006
【図５】
2010057685.tif 000007
【図６】
2010057685.tif 000008
【図７】
2010057685.tif 000009
【図８】
2010057685.tif 000010